(57)【要約】【課題】本発明は、送信相手先がＩＰ電話に接続されているか公衆回線網に接続されているかで通信速度を切り換えて安定した送信を行うファクシミリ装置に関する。【解決手段】ファクシミリ装置ＦＸ１は、ＩＰネットワークＩＰＮＥＴ１、２と公衆回線網ＰＳＴＮにＩＰ電話アダプタＩＰＡＤＰ１を介して接続され、ファクシミリ送信時、ファクシミリ送信の宛先電話番号がＩＰ電話専用番号であるか否かに基づいてＩＰネットワークＩＰＮＥＴ１、２と公衆回線網ＰＳＴＮのいずれに接続するかを判断し、ＩＰネットワークＩＰＮＥＴ１、２に接続すると判断すると、当該ファクシミリ送信での通信速度を下げる。したがって、不安定なＩＰネットワークＩＰＮＥＴ１、２上でも安定したファクシミリ通信を実現することができる。【選択図】          図１
2005150916.tif 000002
【特許請求の範囲】
【請求項１】
ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、ファクシミリ送信の相手先電話番号がＩＰ電話専用番号であるか否かに基づいて前記ＩＰネットワークと前記公衆回線のいずれに接続するかを判断する判断手段を備え、ファクシミリ送信時、前記判断手段が、前記ＩＰネットワークに接続すると判断すると、当該ファクシミリ送信での通信速度を下げることを特徴とするファクシミリ装置。
【請求項２】
ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機の加入しているＩＰ電話サービスを提供するプロバイダの事業者識別番号を登録する記憶手段と、ファクシミリ送信の相手先電話番号がＩＰ電話専用番号であるか否か及び当該宛先電話番号の事業者識別番号が前記記憶手段の自機の事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることを特徴とするファクシミリ装置。
【請求項３】
ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機の加入しているＩＰ電話サービスを提供するプロバイダの複数の事業者識別番号を登録する記憶手段と、ファクシミリ送信の相手先電話番号がＩＰ電話専用番号であるか否か及び当該宛先電話番号の事業者識別番号が前記記憶手段の自機の複数の事業者識別番号のいずれかの事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることを特徴とするファクシミリ装置。
【請求項４】
ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機がＩＰ電話で相互通信が可能な全てのプロバイダの事業者識別番号を登録する記憶手段と、ファクシミリ送信の相手先電話番号がＩＰ電話専用番号であるか否か及び当該宛先電話番号の事業者識別番号が前記記憶手段の複数の事業者識別番号のいずれかの事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることを特徴とするファクシミリ装置。
【発明の詳細な説明】
【技術分野】
【０００１】
本発明は、ファクシミリ装置に関し、詳細には、送信相手先がＩＰ電話に接続されているか公衆回線網に接続されているかで通信速度を切り換えて安定した送信を行うファクシミリ装置に関する。
【背景技術】
【０００２】
ＤＳＬ（Asymmetric Digital Subscriber Line）、ＦＴＴＨ（Fiber To The Home）、ケーブルネットを使用するブロードバンドサービスが普及し、それに伴いＩＰ（Internet Protocol）ネットワークを使用して、音声を流すＩＰ（Internet Protocol）電話が普及しつつある。
【０００３】
ＩＰ電話は、ＶｏＩＰ（Voice over IP）と呼ばれるＩＰネットワーク上で音声通話を実現する技術を使用しており、現在ではＨ．３２３と呼ばれる通信規約がＩＴＵ−Ｔで標準勧告されている。また、ＩＥＴＦ（Internet Engineering Task Force）によりＳＩＰ（Session Initiation Protocol）と呼ばれる別のプロトコルを規定している。
【０００４】
ＩＰ電話は、公衆回線を使用する電話に比較して、通信費が安価であり、また、ＩＰ電話アダプタを使用することで、従来の公衆回線用の電話を使用することができる。
【０００５】
ＩＰ電話アダプタは、ＶｏＩＰ機能を搭載し、ＩＰネットワークを用いた音声通話を実現するとともに、公衆回線を使用した電話を切り換えて使用することができ、これらの切換は電話機から行うことができる。
【０００６】
ＩＰ電話に相手から着信するためには、ＩＰ電話に電話番号がなければならないが、近年、総務省がＩＰ電話専用番号をプロバイダ等に割り当てを開始した。ＩＰ電話専用番号は、０５０から始まる１１桁の電話番号で、ＩＰ電話サービスを提供するプロバイダは、０５０に続く４桁の番号が事業者識別番号として割り当てられ、事業者識別番号に続く４桁の番号がユーザに割り当てられる。また、多くのユーザを持つプロバイダには複数の事業者識別番号が割り当てられる。
【０００７】
ただし、現在のサービスでは、０５０番号を持つＩＰ電話同士でも加入しているプロバイダ業者が異なると、ＩＰ電話で通話できない場合があり、プロバイダ間の協力関係が成立している場合は、プロバイダ業者が異なってもＩＰ電話で通話できる。
【０００８】
このように、ＩＰ電話は、通信費が安価ではあるが、ＩＰネットワークでは、ルータでのキュー待ちや処理遅延、細いアクセス回線でのロングパケット、蓄積交換部分でのキュー待ちや一時的な輻輳などの原因で必ず揺らぎが発生する。そのため、他の通信により音声パケットの到達時間の間隔が保証されない。
【０００９】
揺らぎは、ＶｏＩＰ機器内でパケットを音声に復号する際のバッファ処理でそれを吸収することはできるが、吸収しきれない場合には、ＶｏＩＰ機器内で音声パケットが破棄される。これら音声パケットの遅延と破棄により、音声品質が低下してしまう。
【００１０】
ＩＰネットワークを原因とする音声パケットの遅延と破棄は、優先制御を導入することである程度解決することはできるが、宅内のＶｏＩＰ機器から、ＩＰネットワーク内の全てのルータ、スイッチを対象としたエンドツーエンドで音声品質を確保する必要がある。
【００１１】
そして、ＶｏＩＰ機器に、ＩＴＵ−ＴのＴ．３０で標準勧告された公衆電話網用のＧ３ファクシミリ装置を接続した場合、ＩＰネットワークでのファクシミリ通信は不安定なものとなり、音声品質の低下に伴い通信が正常に行われない場合がある。
【００１２】
上記ファクシミリ装置において、ＩＰネットワークに接続した場合は、送信側及び受信側装置が持つ最高通信速度より通信速度を下げる機能を持つことで、通信品質が低下した場合も安定した通信を行うことができる。
【００１３】
そして、従来、一般回線において、通信速度を制御する技術は、存在する（特許文献１から特許文献３参照）。
【００１４】
【特許文献１】特開平１１−１６４１１７号公報
【特許文献２】特開２０００−０７８３０７号公報
【特許文献３】特開２００３−１８３８０号公報
【発明の開示】
【発明が解決しようとする課題】
【００１５】
しかしながら、上記従来技術にあっては、通信速度を制御するが、ＩＰネットワークに接続するか否かを判断して、通信速度を制御することは行っておらず、改良の必要があった。
【００１６】
すなわち、ＩＰネットワークに接続した場合は、送信側及び受信側装置が持つ最高通信速度より通信速度を下げる機能を持つことで、通信品質が低下した場合も安定した通信を行うことができるが、この場合、ＩＰネットワークに接続するか公衆回線に接続するかを、判断する必要があるが、従来技術は、ＩＰネットワークに接続するか否かを判断して、通信速度を制御することは行っておらず、改良の必要があった。
【００１７】
そこで、請求項１記載の発明は、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、ファクシミリ送信時、ファクシミリ送信の宛先電話番号がＩＰ電話専用番号であるか否かに基づいてＩＰネットワークと公衆回線のいずれに接続するかを判断し、ＩＰネットワークに接続すると判断すると、当該ファクシミリ送信での通信速度を下げることにより、簡単にＩＰネットワークに接続するか公衆回線に接続するかを判断して、ＩＰネットワークに接続する場合には、通信速度を下げ、不安定なＩＰネットワーク上でもより安定したファクシミリ通信を実現するファクシミリ装置を提供することを目的としている。
【００１８】
請求項２記載の発明は、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機の加入しているＩＰ電話サービスを提供するプロバイダの事業者識別番号を記憶手段に登録し、ファクシミリ送信時、ファクシミリ送信の宛先電話番号がＩＰ電話専用番号であるか否か及び当該宛先電話番号の事業者識別番号が記憶手段の自機の事業者識別番号と同じであるか否かに基づいてＩＰネットワークと公衆回線のいずれに接続するかを判断し、ＩＰネットワークに接続すると判断すると、当該ファクシミリ送信での通信速度を下げることにより、より一層簡単かつ正確ににＩＰネットワークに接続するか公衆回線に接続するかを判断して、ＩＰネットワークに接続する場合には、通信速度を下げ、不安定なＩＰネットワーク上でもより安定したファクシミリ通信を実現するファクシミリ装置を提供することを目的としている。
【００１９】
請求項３記載の発明は、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機の加入しているＩＰ電話サービスを提供するプロバイダの複数の事業者識別番号を記憶手段に登録し、ファクシミリ送信時、ファクシミリ送信の宛先電話番号がＩＰ電話専用番号であるか否か及び当該宛先電話番号の事業者識別番号が記憶手段の自機の複数の事業者識別番号のいずれかの事業者識別番号と同じであるか否かに基づいてＩＰネットワークと公衆回線のいずれに接続するかを判断し、ＩＰネットワークに接続すると判断すると、当該ファクシミリ送信での通信速度を下げることにより、プロバイダに複数の事業者識別番号が割り当てられている場合にも、より一層簡単かつ正確ににＩＰネットワークに接続するか公衆回線に接続するかを判断して、ＩＰネットワークに接続する場合には、通信速度を下げ、不安定なＩＰネットワーク上でもより安定したファクシミリ通信を実現するファクシミリ装置を提供することを目的としている。
【００２０】
請求項４記載の発明は、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機がＩＰ電話で相互通信が可能な全てのプロバイダの事業者識別番号を記憶手段に登録し、ファクシミリ送信の宛先電話番号がＩＰ電話専用番号であるか否か及び当該宛先電話番号の事業者識別番号が記憶手段の複数の事業者識別番号のいずれかの事業者識別番号と同じであるか否かに基づいてＩＰネットワークと公衆回線のいずれに接続するかを判断して、ＩＰネットワークに接続すると判断すると、当該ファクシミリ送信での通信速度を下げることにより、ＩＰ電話による相互通信が可能なプロバイダと相互通信が不可なプロバイダが混在している場合にも、より一層簡単かつ正確ににＩＰネットワークに接続するか公衆回線に接続するかを判断して、ＩＰネットワークに接続する場合には、通信速度を下げ、不安定なＩＰネットワーク上でもより安定したファクシミリ通信を実現するファクシミリ装置を提供することを目的としている。
【課題を解決するための手段】
【００２１】
請求項１記載の発明のファクシミリ装置は、ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、ファクシミリ送信の宛先電話番号がＩＰ電話専用番号であるか否かに基づいて前記ＩＰネットワークと前記公衆回線のいずれに接続するかを判断する判断手段を備え、ファクシミリ送信時、前記判断手段が、前記ＩＰネットワークに接続すると判断すると、当該ファクシミリ送信での通信速度を下げることにより、上記目的を達成している。
【００２２】
請求項２記載の発明のファクシミリ装置は、ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機の加入しているＩＰ電話サービスを提供するプロバイダの事業者識別番号を登録する記憶手段と、ファクシミリ送信の宛先電話番号がＩＰ電話専用番号であるか否か及び当該宛先電話番号の事業者識別番号が前記記憶手段の自機の事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることにより、上記目的を達成している。
【００２３】
請求項３記載の発明のファクシミリ装置は、ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機の加入しているＩＰ電話サービスを提供するプロバイダの複数の事業者識別番号を登録する記憶手段と、ファクシミリ送信の宛先電話番号がＩＰ電話専用番号であるか否か及び当該宛先電話番号の事業者識別番号が前記記憶手段の自機の複数の事業者識別番号のいずれかの事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることにより、上記目的を達成している。
【００２４】
請求項４記載の発明のファクシミリ装置は、ＩＰネットワークを使用するＩＰ電話と公衆回線を使用する公衆回線電話とを切り換えるＩＰ電話アダプタに接続され、当該ＩＰ電話アダプタを介して前記ＩＰネットワークに接続されている相手ファクシミリ装置または前記公衆回線に接続されている相手ファクシミリ装置と通信を行うファクシミリ装置において、自機がＩＰ電話で相互通信が可能な全てのプロバイダの事業者識別番号を登録する記憶手段と、ファクシミリ送信の宛先電話番号がＩＰ電話専用番号であるか否か及び当該宛先電話番号の事業者識別番号が前記記憶手段の複数の事業者識別番号のいずれかの事業者識別番号と同じであるか否かに基づいて前記ＩＰネットワークと前記公衆回線のいずれに接続するかを判断する判断手段と、を備え、ファクシミリ送信時、前記判断手段が、前記ＩＰネットワークに接続すると判断すると、当該ファクシミリ送信での通信速度を下げることにより、上記目的を達成している。
【発明の効果】
【００２５】
請求項１記載の発明のファクシミリ装置によれば、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、ファクシミリ送信時、ファクシミリ送信の宛先電話番号がＩＰ電話専用番号であるか否かに基づいてＩＰネットワークと公衆回線のいずれに接続するかを判断し、ＩＰネットワークに接続すると判断すると、当該ファクシミリ送信での通信速度を下げるので、簡単にＩＰネットワークに接続するか公衆回線に接続するかを判断して、ＩＰネットワークに接続する場合には、通信速度を下げることができ、不安定なＩＰネットワーク上でもより安定したファクシミリ通信を実現することができる。
【００２６】
請求項２記載の発明のファクシミリ装置によれば、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機の加入しているＩＰ電話サービスを提供するプロバイダの事業者識別番号を記憶手段に登録し、ファクシミリ送信時、ファクシミリ送信の宛先電話番号がＩＰ電話専用番号であるか否か及び当該宛先電話番号の事業者識別番号が記憶手段の自機の事業者識別番号と同じであるか否かに基づいてＩＰネットワークと公衆回線のいずれに接続するかを判断し、ＩＰネットワークに接続すると判断すると、当該ファクシミリ送信での通信速度を下げるので、より一層簡単かつ正確ににＩＰネットワークに接続するか公衆回線に接続するかを判断して、ＩＰネットワークに接続する場合には、通信速度を下げることができ、不安定なＩＰネットワーク上でもより安定したファクシミリ通信を実現することができる。
【００２７】
請求項３記載の発明のファクシミリ装置によれば、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機の加入しているＩＰ電話サービスを提供するプロバイダの複数の事業者識別番号を記憶手段に登録し、ファクシミリ送信時、ファクシミリ送信の宛先電話番号がＩＰ電話専用番号であるか否か及び当該宛先電話番号の事業者識別番号が記憶手段の自機の複数の事業者識別番号のいずれかの事業者識別番号と同じであるか否かに基づいてＩＰネットワークと公衆回線のいずれに接続するかを判断し、ＩＰネットワークに接続すると判断すると、当該ファクシミリ送信での通信速度を下げるので、プロバイダに複数の事業者識別番号が割り当てられている場合にも、より一層簡単かつ正確ににＩＰネットワークに接続するか公衆回線に接続するかを判断して、ＩＰネットワークに接続する場合には、通信速度を下げることができ、不安定なＩＰネットワーク上でもより安定したファクシミリ通信を実現することができる。
【００２８】
請求項４記載の発明のファクシミリ装置によれば、ＩＰネットワークを使用するＩＰ電話と公衆回線を使用する公衆回線電話とを切り換えるＩＰ電話アダプタに接続され、当該ＩＰ電話アダプタを介してＩＰネットワークに接続されている相手ファクシミリ装置または公衆回線に接続されている相手ファクシミリ装置と通信を行うに際して、自機がＩＰ電話で相互通信が可能な全てのプロバイダの事業者識別番号を記憶手段に登録し、ファクシミリ送信の宛先電話番号がＩＰ電話専用番号であるか否か及び当該宛先電話番号の事業者識別番号が記憶手段の複数の事業者識別番号のいずれかの事業者識別番号と同じであるか否かに基づいてＩＰネットワークと公衆回線のいずれに接続するかを判断して、ＩＰネットワークに接続すると判断すると、当該ファクシミリ送信での通信速度を下げるので、ＩＰ電話による相互通信が可能なプロバイダと相互通信が不可なプロバイダが混在している場合にも、より一層簡単かつ正確ににＩＰネットワークに接続するか公衆回線に接続するかを判断して、ＩＰネットワークに接続する場合には、通信速度を下げることができ、不安定なＩＰネットワーク上でもより安定したファクシミリ通信を実現することができる。
【発明を実施するための最良の形態】
【００２９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３０】
図１〜図７は、本発明のファクシミリ装置の一実施例を示す図であり、図１は、本発明のファクシミリ装置の一実施例を適用したファクシミリ装置ＦＸ１の適用されるファクシミリ通信網１の概略構成図である。
【００３１】
図１において、ファクシミリ通信網１は、回線網として公衆回線網ＰＳＴＮと、それぞれ異なるプロバイダによって運用されている２つのＩＰネットワークＩＰＮＥＴ１、ＩＰ２と、を有し、公衆回線網ＰＳＴＮとＩＰネットワークＩＰＮＥＴ１及びＩＰネットワークＩＰＮＥＴ１とＩＰネットワークＩＰＮＥＴ２とがそれぞれゲートウェイＧＷ１とゲートウェイＧＷ２で接続されている。
【００３２】
公衆回線網ＰＳＴＮには、交換機ＭＢＸ及びＶｏＩＰ機能を有するＩＰ電話アダプタＩＰＡＤＰ１を介してファクシミリ装置ＦＸ１と公衆回線網用の電話機ＴＥＬ１が接続されており、こられのファクシミリ装置ＦＸ１と電話機ＴＥＬ１は、上記ＩＰ電話アダプタＩＰＡＤＰ及び集合型ＤＳＬモデム装置ＤＳＬＡＭ(Digital Subscriver Line Access Multiplexer)を介してＩＰネットワークＩＰＮＥＴ１に接続されている。
【００３３】
ＩＰネットワークＩＰＮＥＴ１には、ＶｏＩＰ機能を有するＩＰ電話アダプタＩＰＡＤＰ２を介してファクシミリ装置ＦＸ２が接続されており、また、ＶｏＩＰ機能を有するＩＰ電話アダプタＩＰＡＤＰ３を介してファクシミリ装置ＦＸ３が接続されている。
【００３４】
また、ＩＰネットワークＩＰＮＥＴ２には、ＶｏＩＰ機能を有するＩＰ電話アダプタＩＰＡＤＰ４を介してファクシミリ装置ＦＸ４が接続されている。
【００３５】
そして、ファクシミリ装置ＦＸ１は、上述のように、ＩＰ電話アダプタＩＰＡＤＰ１及び交換機ＭＢＸを介して公衆回線網ＰＳＴＮに接続されているとともに、ＩＰ電話アダプタＩＰＡＤＰ１及び集合型ＤＳＬモデム装置ＤＳＬＡＭを介してＩＰネットワーク１にも接続されており、ＩＰ電話番号として、「０５０−１０００−１１１１」が割り当てられている。
【００３６】
交換機ＭＢＸは、公衆回線網ＰＳＴＮの電話局内の交換機であり、公衆回線網ＰＳＴＮの交換機能を有している。
【００３７】
集合型ＤＳＬモデム装置ＤＳＬＡＭは、ＤＳＬサービスにおいて、局内に設置され、数十〜数百回線の加入者線を収納して、帯域をまとめて回線に伝送する機能を有している。
【００３８】
ゲートウェイＧＷ１は、公衆回線網ＰＳＴＮとＩＰネットワークＩＰＮＥＴ１とを接続し、ゲートウェイＧＷ２は、ＩＰネットワークＩＰＮＥＴ１とＩＰネットワークＩＰＮＥＴ２とを接続する。
【００３９】
ファクシミリ装置ＦＸ２は、ＩＰ電話専用番号として、「０５０−１０００−２２２２」が割り当てられており、ファクシミリ装置ＦＸ３は、ＩＰ電話専用番号として、「０５０−１００１−３３３３」が割り当てられている。
【００４０】
また、ファクシミリ装置ＦＸ４は、ＩＰ電話専用番号として、「０５０−２０００−４４４４」が割り当てられている。
【００４１】
そして、このファクシミリ通信網１では、ファクシミリ装置ＦＸ１からファクシミリ装置ＦＸ２にファクシミリ送信する場合には、ファクシミリ装置ＦＸ２は、ファクシミリ装置ＦＸ１と事業者識別番号が同じであるため、同じＩＰネットワークＩＰＮＥＴ１に接続され、ＩＰ電話による相互通信が可能であると判断することができる。
【００４２】
また、ファクシミリ装置ＦＸ１からファクシミリ装置ＦＸ３にファクシミリ送信する場合には、ファクシミリ装置ＦＸ３はファクシミリ装置ＦＸ１と事業者識別番号は異なるが、同一のプロバイダに割り当てられた複数の事業者識別番号の一つであるため、同じＩＰネットワークＩＰＮＥＴ１に接続され、ＩＰ電話による相互通信が可能であると判断することができる。
【００４３】
さらに、ファクシミリ装置ＦＸ１からファクシミリ装置ＦＸ４にファクシミリ送信する場合には、ファクシミリ装置ＦＸ４は、プロバイダが異なり、事業者識別番号も異なるが、ＩＰ電話による相互通信が可能な事業者識別番号を持つため、異なるＩＰネットワークＩＰＮＥＴ２に接続されるが、ゲートウェイＧＷ２によってＩＰ電話による相互通信が可能であると判断することができる。
【００４４】
そして、上記ファクシミリ装置ＦＸ１は、図２に示すようにブロック構成されており、制御部１１、メモリ１２、１３、圧縮伸張部１４、操作部１５、スキャナ１６、プロッタ１７及び通信制御部１８等を備え、各部はバス１９で接続されている。
【００４５】
メモリ１２は、システムプログラムやシステムプログラムを実行するのに必要なデータを記憶しており、制御部(判断手段）１１は、メモリ１２内のシステムプログラムに基づいて、メモリ１３をワークメモリとして利用しつつファクシミリ装置ＦＸ１の各部を制御して、ファクシミリ装置ＦＸ１としての基本処理を実行するとともに、後述する回線別通信速度制御処理を実行する。
【００４６】
メモリ（記憶手段）１３は、不揮発性メモリで構成され、上述のように、ワークメモリとして利用されるとともに、予め登録される自機のプロバイダの事業者識別番号、予め設定される自機のプロバイダの複数の事業者識別番号及び予め設定されるＩＰ電話による相互通信が可能な全てのプロバイダの事業者識別番号を格納する。
【００４７】
圧縮伸張部１４は、送信画情報の圧縮処理及び受信画情報の伸張処理を行う。
【００４８】
操作部１５は、テンキーやスタートキー等の各種操作キーを備えているとともに、ディスプレイ（例えば、液晶ディスプレイ）やＬＥＤ（Light Emitting Diode）等のランプを備えており、操作キーからは、送信操作等の各種命令が入力操作される。操作部１５は、キー操作された内容を制御部１１に渡し、また、制御部１１からの表示情報、例えば、操作キーから入力された命令内容やファクシミリ装置ＦＸ１からオペレータに通知する各種情報が表示される。
【００４９】
スキャナ１６は、光源、ＣＣＤ等の固体撮像素子及び駆動機構等を備えており、制御部１１の制御下で動作して、光源から原稿に光を照射して、光源で反射された光を個体撮像素子で光電変換することで、原稿の画像を読み取って、当該読み取ったアナログの画像信号をデジタル変換して、所定の画像処理を施す。
【００５０】
プロッタ１７は、例えば、電子写真方式の記録装置が用いられており、スキャナ１６で読み取った原稿の画像データや受信画像データに基づいて、画像を記録紙に記録出力する。
【００５１】
通信制御部１８は、通信制御と網制御を行って、ファクシミリ通信処理を実行する。
【００５２】
次に、本実施例の作用を説明する。本実施例のファクシミリ装置ＦＸ１は、公衆回線網ＰＳＴＮとＩＰネットワークＩＰＮＥＴ１、２のいずれに接続されているファクシミリ装置ＦＸ２〜ＦＸ５のいずれとの間でも相互通信可能であるとともに、接続相手を判別して回線に適切な通信速度で通信する。
【００５３】
なお、以下の説明において、ファクシミリ装置ＦＸ１は、制御部１１がその動作処理をメモリ１２内のシステムプログラムに基づいて実行し、各タスクの起動とそのスケジューリングをシステムプログラムのモニタ部により制御する。この場合、各動作の同時性等については、マルチタスク、リアルタイムＯＳ（Operating System）の概念をモニタ部に用いることで実現することができる。
【００５４】
まず、ファクシミリの伝送前手順について、送信側ファクシミリ装置をＴＸ、受信側ファクシミリ装置ＲＸとして示す図３の通信シーケンスに基づいて説明する。なお、図３の説明では、送信側ファクシミリ装置ＴＸと受信側ファクシミリ装置ＲＸが、いずれも図２に示したファクシミリ装置ＦＸの構成を有しているものとして、その符号を用いて説明する。
【００５５】
図３において、送信側ファクシミリ装置ＴＸで、スキャナ１６に原稿がセットされて、操作部１５で送信宛先が指定され、送信開始が指示操作されると、スキャナ１６が、操作部１５で設定された読取線密度や原稿サイズに応じて、セットされた原稿を読み取って、メモリ１３に一旦蓄積する。
【００５６】
次に、送信側ファクシミリ装置ＴＸは、送信宛先である受信側ファクシミリ装置ＲＸに発呼して、回線が確立されると、発呼トーンＣＮＧ（１１００Ｈｚ）を受信側ファクシミリ装置ＲＸに送出し、被呼局識別信号ＣＥＤを受信側ファクシミリ装置ＲＸから受信すると、呼設定を行う。
【００５７】
その後、伝送前手順として以下の動作を行う。
【００５８】
Ａ．受信側ファクシミリ装置ＲＸから非標準機能識別信号ＮＳＦ及びディジタル識別信号ＤＩＳを受信する。
【００５９】
Ｂ．受信側ファクシミリ装置ＲＸの非標準機能及び標準機能と、自機の非標準機能及び標準機能の共通範囲で伝送モードを設定した非標準機能設定信号ＮＳＳまたはディジタル送信命令信号ＤＣＳを受信側ファクシミリ装置ＲＸに送出して受信側ファクシミリ装置ＲＸに伝送モードを設定させる。
【００６０】
Ｃ．トレーニングチェック信号ＴＣＦを送出してモデムトレーニングを行う。
【００６１】
Ｄ．受信側ファクシミリ装置ＲＸから受信準備確認信号ＣＦＲを受信して伝送前手順を完了する。
【００６２】
送信側ファクシミリ装置ＴＸは、伝送前手順を完了すると、画データを送信する。
【００６３】
そして、送信側ファクシミリ装置ＴＸであるファクシミリ装置ＦＸ１は、上記伝送前手順を、図４に示すように処理する。また、制御部１１は、ＩＰネットワークＩＰＮＥＴ１、ＩＰネットワークＩＰＮＥＴ２に接続するか、公衆回線網ＰＳＴＮに接続するかの判断は、操作部１５から入力される受信側ファクシミリ装置ＲＸの宛先番号によって判断する。
【００６４】
そして、送信側であるファクシミリ装置ＦＸ１の制御部１１は、伝送前手順が開始されると、図４に示すように、まず、受信側ファクシミリ装置ＲＸから非標準機能識別信号ＮＳＦ及びディジタル識別信号ＤＩＳを受信するのを待って（ステップＳ１０１）、非標準機能識別信号ＮＳＦ及びディジタル識別信号ＤＩＳを受信すると、ＩＰネットワークＩＰＮＥＴ１、ＩＰＮＥＴ２に接続するか否か判断する（ステップＳ１０２）。
【００６５】
そして、制御部１１は、ＩＰネットワークＩＰＮＥＴ１、ＩＰＮＥＴ２に接続するか否かチェックし（ステップＳ１０３）、ＩＰネットワークＩＰＮＥＴ１、ＩＰＮＥＴ２に接続しないとき、すなわち公衆回線網ＰＳＴＮに接続するときには、自機と受信側ファクシミリ装置ＲＸが持つ最高通信速度を設定して、非標準機能設定信号ＮＳＳまたはディジタル送信命令信号ＤＣＳを送信する（ステップＳ１０４）。
【００６６】
ステップＳ１０３で、ＩＰネットワークＩＰＮＥＴ１、ＩＰＮＥＴ２に接続するときには、制御部１１は、通信速度を自機と受信側ファクシミリ装置ＲＸが持つ最高通信速度より下げた通信速度に設定して、非標準機能設定信号ＮＳＳまたはディジタル送信命令信号ＤＣＳを送信する（ステップＳ１０５）。
【００６７】
制御部１１は、非標準機能設定信号ＮＳＳまたはディジタル送信命令信号ＤＣＳを送信すると、トレーニングチェック信号ＴＣＦを送出して、モデムトレーニングを行い（ステップＳ１０６）、受信側ファクシミリ装置ＲＸから受信準備確認信号ＣＦＲを受信すると、伝送前手順を終了する（ステップＳ１０７）。
【００６８】
そして、制御部１１は、ステップＳ１０２のＩＰネットワークＩＰＮＥＴ１、ＩＰＮＥＴ２への接続の判断を、図５に示すように、宛先番号の先頭３桁が０５０番号であるか否かに基づいて行っている。
【００６９】
すなわち、制御部１１は、ＩＰネットワークＩＰＮＥＴ１、ＩＰＮＥＴ２に接続するか否かの判断処理において、宛先番号の先頭３桁が０５０番号であるか否かチェックし（ステップＳ２０１）、宛先番号の先頭３桁が０５０番号以外であると、公衆回線網ＰＳＴＮに接続するものと判断する（ステップＳ２０２）。
【００７０】
ステップＳ２０１で、宛先番号の先頭３桁が０５０番号であると、制御部１１は、自機と同じＩＰネットワークＩＰＮＥＴ１に接続するものと判断する（ステップＳ２０３）。
【００７１】
このように、本実施例のファクシミリ装置ＦＸ１は、ＩＰネットワークＩＰＮＥＴ１、ＩＰＮＥＴ２を使用するＩＰ電話と公衆回線網ＰＳＴＮを使用する公衆回線電話とを切り換えるＩＰ電話アダプタＩＰＡＤＰ１に接続され、ＩＰ電話アダプタＩＰＡＤＰ１を介してＩＰネットワークＩＰＮＥＴ１、ＩＰＮＥＴ２に接続されている相手ファクシミリ装置ＦＸ２〜ＦＸ４または公衆回線網ＰＳＴＮに接続されている相手ファクシミリ装置ＦＸ５と通信を行うに際して、ファクシミリ送信時、ファクシミリ送信の宛先電話番号がＩＰ電話専用番号（０５０）であるか否かに基づいてＩＰネットワークＩＰＮＥＴ１、ＩＰＮＥＴ２と公衆回線網ＰＳＴＮのいずれに接続するかを判断し、ＩＰネットワークＩＰＮＥＴ１、ＩＰＮＥＴ２に接続すると判断すると、当該ファクシミリ送信での通信速度を下げている。
【００７２】
したがって、簡単にＩＰネットワークＩＰＮＥＴ１、ＩＰＮＥＴ２に接続するか公衆回線網ＰＳＴＮに接続するかを判断して、ＩＰネットワークＩＰＮＥＴ１、ＩＰＮＥＴ２に接続する場合には、通信速度を下げることができ、不安定なＩＰネットワークＩＰＮＥＴ１、ＩＰＮＥＴ２上でもより安定したファクシミリ通信を実現することができる。
【００７３】
また、制御部１１は、ＩＰネットワークＩＰＮＥＴ１、ＩＰＮＥＴ２に接続するか否かの判断処理において、図６に示すように、自機の事業者識別番号をも考慮して判断してもよい。
【００７４】
すなわち、制御部１１は、ＩＰネットワークＩＰＮＥＴ１、ＩＰＮＥＴ２に接続するか否かの判断処理において、図６に示すように、宛先番号の先頭３桁が０５０番号であるか否かチェックし（ステップＳ３０１）、宛先番号の先頭３桁が０５０番号以外であると、公衆回線網ＰＳＴＮに接続するものと判断する（ステップＳ３０２）。
【００７５】
ステップＳ３０１で、宛先番号の先頭３桁が０５０番号であると、制御部１１は、予めメモリ１３に登録されている自機のプロバイダの事業者識別番号と宛先番号の事業者識別番号とが同じ番号であるかチェックし（ステップＳ３０３）、宛先番号の事業者識別番号と自機のプロバイダの事業者識別番号が異なるときには、公衆回線網ＰＳＴＮに接続するものと判断する（ステップＳ３０２）。
【００７６】
ステップＳ３０３で、宛先番号の事業者識別番号と自機のプロバイダの事業者識別番号が同じであるときには、制御部１１は、自機と同じＩＰネットワークＩＰＮＥＴ１に接続するものと判断する（ステップＳ３０４）。
【００７７】
このように、本実施例のファクシミリ装置ＦＸ１は、自機の加入しているＩＰ電話サービスを提供するプロバイダの事業者識別番号をメモリ１３に登録し、ファクシミリ送信時、ファクシミリ送信の宛先電話番号（宛先番号）がＩＰ電話専用番号（０５０）であるか否か及び当該宛先電話番号の事業者識別番号がメモリ１３の自機の事業者識別番号と同じであるか否かに基づいてＩＰネットワークＩＰＮＥＴ１、ＩＰＮＥＴ２と公衆回線網ＰＳＴＮのいずれに接続するかを判断し、ＩＰネットワークＩＰＮＥＴ１、ＩＰＮＥＴ２に接続すると判断すると、当該ファクシミリ送信での通信速度を下げている。
【００７８】
したがって、より一層簡単かつ正確ににＩＰネットワークＩＰＮＥＴ１、ＩＰＮＥＴ２に接続するか公衆回線網ＰＳＴＮに接続するかを判断して、ＩＰネットワークＩＰＮＥＴ１、ＩＰＮＥＴ２に接続する場合には、通信速度を下げることができ、不安定なＩＰネットワークＩＰＮＥＴ１、ＩＰＮＥＴ２上でもより安定したファクシミリ通信を実現することができる。
【００７９】
また、制御部１１は、ＩＰネットワークＩＰＮＥＴ１、ＩＰＮＥＴ２に接続するか否かの判断処理において、図７に示すように、自機の複数の事業者識別番号をも考慮して判断してもよい。
【００８０】
すなわち、ファクシミリ装置ＦＸ１は、予めメモリ１３に、自機の加入しているＩＰ電話サービスを提供するプロバイダの複数の事業者番号を登録する。
【００８１】
そして、制御部１１は、ＩＰネットワークＩＰＮＥＴ１、ＩＰＮＥＴ２に接続するか否かの判断処理において、図７に示すように、宛先番号の先頭３桁が０５０番号であるか否かチェックし（ステップＳ４０１）、宛先番号の先頭３桁が０５０番号以外であると、公衆回線網ＰＳＴＮに接続するものと判断する（ステップＳ４０２）。
【００８２】
ステップＳ４０１で、宛先番号の先頭３桁が０５０番号であると、制御部１１は、予めメモリ１３に登録されている自機のプロバイダの複数の事業者識別番号を検索し（ステップＳ４０３）、当該検索したメモリ１３内の自機のプロバイダの複数の事業者識別番号のうち、宛先番号の事業者識別番号と同じ番号があるかチェックする（ステップＳ４０４）。
【００８３】
ステップＳ４０４で、宛先番号の事業者識別番号と同じ番号が自機のプロバイダの複数の事業者識別番号にないときには、公衆回線網ＰＳＴＮに接続するものと判断する（ステップＳ４０２）。
【００８４】
ステップＳ４０４で、宛先番号の事業者識別番号と同じ番号が自機のプロバイダの複数の事業者識別番号にあるときには、制御部１１は、自機と同じＩＰネットワークＩＰＮＥＴ１に接続するものと判断する（ステップＳ４０５）。
【００８５】
このように、本実施例のファクシミリ装置ＦＸ１は、自機の加入しているＩＰ電話サービスを提供するプロバイダの複数の事業者識別番号をメモリ１３に登録し、ファクシミリ送信時、ファクシミリ送信の宛先電話番号がＩＰ電話専用番号（０５０）であるか否か及び当該宛先電話番号の事業者識別番号がメモリ１３の自機の複数の事業者識別番号のいずれかの事業者識別番号と同じであるか否かに基づいてＩＰネットワークＩＰＮＥＴ１、ＩＰＮＥＴ２と公衆回線網ＰＳＴＮのいずれに接続するかを判断し、ＩＰネットワークＩＰＮＥＴ１、ＩＰＮＥＴ２に接続すると判断すると、当該ファクシミリ送信での通信速度を下げている。
【００８６】
したがって、プロバイダに複数の事業者識別番号が割り当てられている場合にも、より一層簡単かつ正確ににＩＰネットワークＩＰＮＥＴ１、ＩＰＮＥＴ２に接続するか公衆回線網ＰＳＴＮに接続するかを判断して、ＩＰネットワークＩＰＮＥＴ１、ＩＰＮＥＴ２に接続する場合には、通信速度を下げることができ、不安定なＩＰネットワークＩＰＮＥＴ１、ＩＰＮＥＴ２上でもより安定したファクシミリ通信を実現することができる。
【００８７】
さらに、ファクシミリ装置ＦＸ１は、予めメモリ１３に相互通信が可能な全てのプロバイダの事業者識別番号を登録し、ＩＰネットワークＩＰＮＥＴ１、ＩＰＮＥＴ２に接続するか否かの判断処理において、宛先番号の事業者識別番号と同じ番号が、メモリ１３の相互通信可能な複数のプロバイダの事業者識別番号にあるか否かで、判断してもよい。
【００８８】
この場合の処理としては、図７の処理と同様であるが、この場合、ステップＳ４０４で、宛先番号の事業者識別番号と同じ番号がメモリ１３の相互通信が可能な全ての複数のプロバイダの事業者識別番号にあるときには、制御部１１は、ＩＰネットワークＩＰＮＥＴ１またはＩＰネットワークＩＰＮＥＴ２に接続するものと判断する（ステップＳ４０５）。
【００８９】
したがって、ＩＰ電話による相互通信が可能なプロバイダと相互通信が不可なプロバイダが混在している場合にも、より一層簡単かつ正確ににＩＰネットワークＩＰＮＥＴ１、ＩＰＮＥＴ２に接続するか公衆回線網ＰＳＴＮに接続するかを判断して、ＩＰネットワークＩＰＮＥＴ１、ＩＰＮＥＴ２に接続する場合には、通信速度を下げることができ、不安定なＩＰネットワークＩＰＮＥＴ１、ＩＰＮＥＴ２上でもより安定したファクシミリ通信を実現することができる。
【００９０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９１】
適切な通信速度を確保しつつ公衆回線網とＩＰネットワークとに接続してファクシミリ通信するファクシミリ装置に適用することができる。
【図面の簡単な説明】
【００９２】
【図１】本発明のファクシミリ装置の一実施例を適用したファクシミリ装置の適用されるファクシミリ通信網の概略構成図。
【図２】図１のファクシミリ装置の概略ブロック構成図。
【図３】ファクシミリ通信シーケンス図。
【図４】ファクシミリ通信処理を示すフローチャート。
【図５】図４のＩＰネットワーク接続判断処理の詳細な処理を示すフローチャート。
【図６】図４のＩＰネットワーク接続判断処理で自機の事業者識別番号をも考慮した判断処理を示すフローチャート。
【図７】図４のＩＰネットワーク接続判断処理で通信が可能な全ての事業者識別番号をも考慮した判断処理を示すフローチャート。
【符号の説明】
【００９３】
１  ファクシミリ通信網
ＰＳＴＮ  公衆回線網
ＩＰＮＥＴ１、ＩＰＮＥＴ２  ＩＰネットワーク
ＧＷ１、ＧＷ２  ゲートウェイ
ＭＢＸ  交換機
ＩＰＡＤＰ１〜ＩＰＡＤＰ４  ＩＰ電話アダプタ
ＦＸ１〜ＦＸ４  ファクシミリ装置
ＴＥＬ１  電話機
ＤＳＬＡＭ  集合型ＤＳＬモデム装置
１１  制御部
１２、１３  メモリ
１４  圧縮伸張部
１５  操作部
１６  スキャナ
１７  プロッタ
１８  通信制御部
１９  バス
【図１】
2005150916.tif 000003
【図２】
2005150916.tif 000004
【図３】
2005150916.tif 000005
【図４】
2005150916.tif 000006
【図５】
2005150916.tif 000007
【図６】
2005150916.tif 000008
【図７】
2005150916.tif 000009